(57)【要約】【課題】利用する場所に応じて柔軟に動作モードを変更する。【解決手段】移動通信端末１００が、無線ＬＡＮアクセスポイント２００から取得したアクセスポイント識別情報に基づいて、サーバ３００からサーバ設定モードとサーバ設定優先度とを取得し、アクセスポイント識別情報と対応付けて記憶部にあらかじめ記憶している端末設定モードと端末設定優先度とを該記憶部から読み出し、サーバ設定優先度が端末設定優先度よりも高い優先度を示すものである場合、移動通信端末１００の動作モードをサーバ設定モードへ変更し、それ以外の場合は、移動通信端末１００の動作モードを前記端末設定モードへ変更する。【選択図】図１
2012074826.tif 000002
【特許請求の範囲】
【請求項１】
無線ＬＡＮアクセスポイントと、移動通信端末と、サーバとから構成された通信システムにおいて、
前記移動通信端末は、当該移動通信端末との間で通信を行う前記無線ＬＡＮアクセスポイントから、該無線ＬＡＮアクセスポイントを識別可能なアクセスポイント識別情報を取得し、該取得したアクセスポイント識別情報に基づいて前記サーバからサーバ設定モードとサーバ設定優先度とを取得し、前記取得したアクセスポイント識別情報と対応付けて記憶部にあらかじめ記憶している端末設定モードと端末設定優先度とを該記憶部から読み出し、前記サーバ設定優先度が前記端末設定優先度よりも高い優先度を示すものである場合、当該移動通信端末の動作モードを前記サーバ設定モードへ変更し、それ以外の場合は、当該移動通信端末の動作モードを前記端末設定モードへ変更することを特徴とする通信システム。
【請求項２】
請求項１に記載の通信システムにおいて、
前記移動通信端末は、前記取得したアクセスポイント識別情報に応じた端末設定モードを記憶していない場合、当該移動通信端末の動作モードを前記サーバ設定モードへ変更することを特徴とする通信システム。
【請求項３】
請求項１に記載の通信システムにおいて、
前記移動通信端末は、前記取得したアクセスポイント識別情報に応じたサーバ設定モードを前記サーバから取得できない場合、当該移動通信端末の動作モードを前記端末設定モードへ変更することを特徴とする通信システム。
【請求項４】
請求項１に記載の通信システムにおいて、
前記サーバは、前記アクセスポイント識別情報と前記サーバ設定モードと前記サーバ設定優先度とをあらかじめ対応付けて記憶していることを特徴とする通信システム。
【請求項５】
請求項１に記載の通信システムにおいて、
前記移動通信端末は、前記取得したアクセスポイント識別情報があらかじめ設定された特定アクセスポイント識別情報である場合、当該移動通信端末の動作モードを、前記特定アクセスポイント識別情報と対応付けて記憶している端末設定モードへ変更することを特徴とする通信システム。
【請求項６】
請求項１に記載の通信システムにおいて、
前記移動通信端末は、前記変更する前の動作モードを記憶しておき、通信を行っていた無線ＬＡＮアクセスポイントの通信圏外へ出た場合、前記動作モードを前記変更する前の動作モードへ戻すことを特徴とする通信システム。
【請求項７】
無線ＬＡＮ通信機能を具備した移動通信端末であって、
当該移動通信端末との間で通信を行う無線ＬＡＮアクセスポイントを検索し、該検索された無線ＬＡＮアクセスポイントから、該無線ＬＡＮアクセスポイントを識別可能なアクセスポイント識別情報を取得する無線ＬＡＮ通信部と、
該取得したアクセスポイント識別情報に基づいて、当該移動通信端末と接続されたサーバからサーバ設定モードとサーバ設定優先度とを取得するサーバインタフェース部と、
前記アクセスポイント識別情報と端末設定モードと端末設定優先度とをあらかじめ対応付けて記憶する記憶部と、
前記サーバ設定優先度が、前記無線ＬＡＮ通信部が取得したアクセスポイント識別情報と対応付けて前記記憶部が記憶している前記端末設定優先度よりも高い優先度を示すものである場合、当該移動通信端末の動作モードを前記サーバ設定モードへ変更し、それ以外の場合は、当該移動通信端末の動作モードを、前記無線ＬＡＮ通信部が取得したアクセスポイント識別情報と対応付けて前記記憶部が記憶している前記端末設定モードへ変更する動作モード変更部とを有する移動通信端末。
【請求項８】
移動通信端末に具備された機能の動作モードを設定する動作設定方法であって、
前記移動通信端末との間で通信を行う無線ＬＡＮアクセスポイントから、該無線ＬＡＮアクセスポイントを識別可能なアクセスポイント識別情報を取得する処理と、
該取得したアクセスポイント識別情報に基づいて、前記移動通信端末と接続されたサーバからサーバ設定モードとサーバ設定優先度とを取得する処理と、
前記サーバ設定優先度が、前記取得したアクセスポイント識別情報と対応付けて記憶している端末設定優先度よりも高い優先度を示すものである場合、前記移動通信端末の動作モードを前記サーバ設定モードへ変更する処理と、
それ以外の場合は、前記移動通信端末の動作モードを、前記取得したアクセスポイント識別情報と対応付けて記憶している端末設定モードへ変更する処理とを行う動作設定方法。
【請求項９】
無線ＬＡＮ通信機能を具備した移動通信端末に、
当該移動通信端末との間で通信を行う無線ＬＡＮアクセスポイントから、該無線ＬＡＮアクセスポイントを識別可能なアクセスポイント識別情報を取得する手順と、
該取得したアクセスポイント識別情報に基づいて、当該移動通信端末と接続されたサーバからサーバ設定モードとサーバ設定優先度とを取得する手順と、
前記サーバ設定優先度が、前記取得したアクセスポイント識別情報と対応付けて記憶している端末設定優先度よりも高い優先度を示すものである場合、当該移動通信端末の動作モードを前記サーバ設定モードへ変更する手順と、
それ以外の場合は、当該移動通信端末の動作モードを、前記取得したアクセスポイント識別情報と対応付けて記憶している端末設定モードへ変更する手順とを実行させるためのプログラム。
【発明の詳細な説明】
【技術分野】
【０００１】
本発明は、移動通信端末が具備する機能の動作を設定する通信システム、移動通信端末、機能設定方法およびプログラムに関する。
【背景技術】
【０００２】
一般的に、映画館や病院、電車内などの公共施設では、携帯端末の電源をＯＦＦにしたり、動作モードをマナーモードに設定したり、自宅に帰ったらマナーモードを解除したりするなど、携帯端末の利用者は、場所によって携帯端末の設定を自ら変更することが多い。
【０００３】
しかし、その設定を変更することを忘れてしまったり、設定を変更すること自体が煩わしかったりすることがある。
【０００４】
そこで、ＧＰＳ（Ｇｌｏｂａｌ  Ｐｏｓｉｔｉｏｎｉｎｇ  Ｓｙｓｔｅｍ）機能を用いて、ＧＰＳ衛星から携帯端末の位置情報を取得し、取得した位置情報に応じた設定の変更を自動的に行う技術が考えられている。
【０００５】
しかしながら、ＧＰＳ機能を用いて位置情報を取得しようとした場合、地下や室内などで位置情報の取得ができなかったり、衛星位置の変化により測位結果にばらつきが出てしまったりすることがあるため、設定した場所で正確に設定が反映されないおそれがある。
【０００６】
そこで、携帯端末と接続されたアクセスポイントに応じて、当該携帯端末の機能を制限する技術が考えられている（例えば、特許文献１参照。）。
【先行技術文献】
【特許文献】
【０００７】
【特許文献１】特開２００６−２０３５０７号公報
【発明の概要】
【発明が解決しようとする課題】
【０００８】
しかしながら、上述した技術においては、各機能の許可と禁止とのどちらか一方への設定がされるだけであって、他の動作モードへ変更するものではない。また、複数の端末へサーバからの一律の指示がされるため、利用者の希望する動作モードへ変更することができないという問題点がある。
【０００９】
本発明の目的は、上述した課題を解決する通信システム、移動通信端末、動作設定方法およびプログラムを提供することである。
【課題を解決するための手段】
【００１０】
本発明の通信システムは、
無線ＬＡＮアクセスポイントと、移動通信端末と、サーバとから構成された通信システムにおいて、
前記移動通信端末は、当該移動通信端末との間で通信を行う前記無線ＬＡＮアクセスポイントから、該無線ＬＡＮアクセスポイントを識別可能なアクセスポイント識別情報を取得し、該取得したアクセスポイント識別情報に基づいて前記サーバからサーバ設定モードとサーバ設定優先度とを取得し、前記取得したアクセスポイント識別情報と対応付けて記憶部にあらかじめ記憶している端末設定モードと端末設定優先度とを該記憶部から読み出し、前記サーバ設定優先度が前記端末設定優先度よりも高い優先度を示すものである場合、当該移動通信端末の動作モードを前記サーバ設定モードへ変更し、それ以外の場合は、当該移動通信端末の動作モードを前記端末設定モードへ変更することを特徴とする。
【００１１】
また、本発明の移動通信端末は、
無線ＬＡＮ通信機能を具備した移動通信端末であって、
当該移動通信端末との間で通信を行う無線ＬＡＮアクセスポイントを検索し、該検索された無線ＬＡＮアクセスポイントから、該無線ＬＡＮアクセスポイントを識別可能なアクセスポイント識別情報を取得する無線ＬＡＮ通信部と、
該取得したアクセスポイント識別情報に基づいて、当該移動通信端末と接続されたサーバからサーバ設定モードとサーバ設定優先度とを取得するサーバインタフェース部と、
前記アクセスポイント識別情報と端末設定モードと端末設定優先度とをあらかじめ対応付けて記憶する記憶部と、
前記サーバ設定優先度が、前記無線ＬＡＮ通信部が取得したアクセスポイント識別情報と対応付けて前記記憶部が記憶している前記端末設定優先度よりも高い優先度を示すものである場合、当該移動通信端末の動作モードを前記サーバ設定モードへ変更し、それ以外の場合は、当該移動通信端末の動作モードを、前記無線ＬＡＮ通信部が取得したアクセスポイント識別情報と対応付けて前記記憶部が記憶している前記端末設定モードへ変更する動作モード変更部とを有する。
【００１２】
また、本発明の動作設定方法は、
移動通信端末に具備された機能の動作モードを設定する動作設定方法であって、
前記移動通信端末との間で通信を行う無線ＬＡＮアクセスポイントから、該無線ＬＡＮアクセスポイントを識別可能なアクセスポイント識別情報を取得する処理と、
該取得したアクセスポイント識別情報に基づいて、前記移動通信端末と接続されたサーバからサーバ設定モードとサーバ設定優先度とを取得する処理と、
前記サーバ設定優先度が、前記取得したアクセスポイント識別情報と対応付けて記憶している端末設定優先度よりも高い優先度を示すものである場合、前記移動通信端末の動作モードを前記サーバ設定モードへ変更する処理と、
それ以外の場合は、前記移動通信端末の動作モードを、前記取得したアクセスポイント識別情報と対応付けて記憶している端末設定モードへ変更する処理とを行う。
【００１３】
また、本発明のプログラムは、
無線ＬＡＮ通信機能を具備した移動通信端末に実行させるためのプログラムであって、
当該移動通信端末との間で通信を行う無線ＬＡＮアクセスポイントから、該無線ＬＡＮアクセスポイントを識別可能なアクセスポイント識別情報を取得する手順と、
該取得したアクセスポイント識別情報に基づいて、当該移動通信端末と接続されたサーバからサーバ設定モードとサーバ設定優先度とを取得する手順と、
前記サーバ設定優先度が、前記取得したアクセスポイント識別情報と対応付けて記憶している端末設定優先度よりも高い優先度を示すものである場合、当該移動通信端末の動作モードを前記サーバ設定モードへ変更する手順と、
それ以外の場合は、当該移動通信端末の動作モードを、前記取得したアクセスポイント識別情報と対応付けて記憶している端末設定モードへ変更する手順とを実行させる。
【発明の効果】
【００１４】
以上説明したように、本発明においては、利用する場所に応じて柔軟に動作モードを変更することができる。
【図面の簡単な説明】
【００１５】
【図１】本発明の通信システムの一形態を示す図である。
【図２】図１に示した移動通信端末の内部構成の一例を示す図である。
【図３】図１に示したサーバから移動通信端末へ送信される応答信号のフォーマットの一例を示す図である。
【図４】図２に示した記憶部に記憶されたアクセスポイント識別情報と端末設定モードと端末設定優先度との対応付けの一例を示す図である。
【図５】図１に示したサーバに記憶されているアクセスポイント識別情報とサーバ設定モードとサーバ設定優先度との対応付けの一例を示す図である。
【図６】本形態における動作設定方法の一例を説明するためのフローチャートである。
【図７】本形態における動作設定方法の他の例を説明するためのフローチャートである。
【発明を実施するための形態】
【００１６】
以下に、本発明の実施の形態について図面を参照して説明する。
【００１７】
図１は、本発明の通信システムの一形態を示す図である。
【００１８】
本形態は図１に示すように、移動通信端末１００と、無線ＬＡＮアクセスポイント２００と、サーバ３００と、無線基地局４００とから構成されている。
【００１９】
移動通信端末１００は、無線ＬＡＮ（Ｌｏｃａｌ  Ａｒｅａ  Ｎｅｔｗｏｒｋ）通信機能を用いて、無線ＬＡＮアクセスポイント２００との間で無線通信を行う。また、移動通信端末１００は、通話や電子メール送受信等の一般的な携帯端末に具備された無線通信機能を用いて無線基地局４００との間で通信を行う。
【００２０】
図２は、図１に示した移動通信端末１００の内部構成の一例を示す図である。
【００２１】
図１に示した移動通信端末１００には図２に示すように、無線ＬＡＮ通信部１１０と、サーバインタフェース部１２０と、記憶部１３０と、動作モード変更部１４０と、移動通信端末１００全体を制御する制御部１５０とが設けられている。なお、図２には、図１に示した移動通信端末１００が具備する構成要素のうち、本発明に係わる構成要素のみを示した。
【００２２】
無線ＬＡＮ通信部１１０は、移動通信端末１００との間で通信を行う無線ＬＡＮアクセスポイントを検索する。この検索方法は、一般的に行われている方法で良く、ここでは特に規定しない。以下の説明では、検索された無線ＬＡＮアクセスポイントが、図１に示した無線ＬＡＮアクセスポイント２００である場合を例に挙げて説明する。
【００２３】
また、無線ＬＡＮ通信部１１０は、無線ＬＡＮアクセスポイント２００との間で無線ＬＡＮ通信機能を用いて通信を行う。
【００２４】
また、無線ＬＡＮ通信部１１０は、検索した無線ＬＡＮアクセスポイント２００から、無線ＬＡＮアクセスポイント２００を識別可能なアクセスポイント識別情報を取得する。このアクセスポイント識別情報は、無線ＬＡＮアクセスポイント２００固有にあらかじめ付与されている情報であり、他の無線ＬＡＮアクセスポイントと識別できる情報であれば良い。また、この取得の方法については、どのような方法であってもかまわない。
【００２５】
また、無線ＬＡＮ通信部１１０は、取得したアクセスポイント識別情報をサーバインタフェース部１２０および動作モード変更部１４０へ出力する。
【００２６】
サーバインタフェース部１２０は、無線ＬＡＮ通信部１１０から出力されてきたアクセスポイント識別情報に基づいて、サーバ３００からサーバ設定モードとサーバ設定優先度とを取得する。この取得の処理において、どのような信号をサーバインタフェース部１２０からサーバ３００へ送信し、それに対してどのようなサーバ設定モードとサーバ設定優先度とが含まれた応答信号がサーバ３００から送信されてくるものであるかは特に規定しない。例えば、無線ＬＡＮ通信部１１０から出力されてきたアクセスポイント識別情報を含んだ要求信号をサーバインタフェース部１２０からサーバ３００へ送信し、サーバ３００にて当該アクセスポイント識別情報に応じたサーバ設定モードとサーバ設定優先度とを含んだ応答信号を移動通信端末１００へ送信するものであっても良い。
【００２７】
図３は、図１に示したサーバ３００から移動通信端末１００へ送信される応答信号のフォーマットの一例を示す図である。
【００２８】
図１に示したサーバ３００から移動通信端末１００へ送信される応答信号は図３に示すように、ヘッダ８０１と、サーバ設定モード８０２と、サーバ設定優先度８０３とから構成されている。
【００２９】
ヘッダ８０１は、当該応答信号の宛先の情報や送信元の情報が含まれる一般的なヘッダである。
【００３０】
サーバ設定モード８０２は、サーバインタフェース部１２０から送信されたアクセスポイント識別情報に基づいて、サーバ３００にて検索されたサーバ設定モードを示す情報である。
【００３１】
サーバ設定優先度８０３は、サーバインタフェース部１２０から送信されたアクセスポイント識別情報に基づいて、サーバ３００にて検索されたサーバ設定優先度である。
【００３２】
これらの検索方法の詳細については、後述する。
【００３３】
また、サーバインタフェース部１２０は、取得したサーバ設定モードとサーバ設定優先度とを動作モード変更部１４０へ出力する。
【００３４】
また、サーバインタフェース部１２０は、サーバ３００からサーバ設定モードとサーバ設定優先度とを取得することができなかった場合、その旨を動作モード変更部１４０へ通知する。
【００３５】
記憶部１３０は、アクセスポイント識別情報と端末設定モードと端末設定優先度をあらかじめ対応付けて記憶する。
【００３６】
図４は、図２に示した記憶部１３０に記憶されたアクセスポイント識別情報と端末設定モードと端末設定優先度との対応付けの一例を示す図である。
【００３７】
図２に示した記憶部１３０には図４に示すように、アクセスポイント識別情報と端末設定モードと端末設定優先度とがあらかじめ対応付けられて登録されている。このアクセスポイント識別情報は、移動通信端末１００の動作モードの変更を必要とする公共施設等の所望の場所に設けられた無線ＬＡＮアクセスポイントそれぞれに付与されているものである。
【００３８】
例えば図４に示すように、複数のアクセスポイント識別情報と、複数の端末設定モードと、複数の端末設定優先度とが、それぞれ対応付けられて記憶されている。ここで、端末設定優先度は、Ａ＞Ｂ＞Ｃの優先順位の高さとする。
【００３９】
動作モード変更部１４０は、無線ＬＡＮ通信部１１０から出力されてきたアクセスポイント識別情報を検索キーとして、当該アクセスポイント識別情報と対応付けて記憶部１３０に記憶されている端末設定モードと端末設定優先度とを読み出す。
【００４０】
また、動作モード変更部１４０は、サーバインタフェース部１２０から出力されてきたサーバ設定優先度と、記憶部１３０から読み出した端末設定優先度とを比較する。
【００４１】
そして、動作モード変更部１４０は、サーバ設定優先度が端末設定優先度よりも高い優先度を示すものである場合、移動通信端末１００の動作モードを、サーバインタフェース部１２０から出力されてきたサーバ設定モードへ変更する。
【００４２】
一方、動作モード変更部１４０は、サーバ設定優先度が端末設定優先度よりも高い優先度を示すものではない場合、移動通信端末１００の動作モードを、記憶部１３０から読み出した端末設定モードへ変更する。
【００４３】
また、動作モード変更部１４０は、無線ＬＡＮ通信部１１０から出力されてきたアクセスポイント識別情報およびそのアクセスポイント識別情報と対応付けられた端末設定モードと端末設定優先度とを記憶部１３０に記憶していない場合、移動通信端末１００の動作モードを、サーバインタフェース部１２０から出力されてきたサーバ設定モードへ変更する。
【００４４】
また、動作モード変更部１４０は、無線ＬＡＮ通信部１１０から出力されてきたアクセスポイント識別情報があらかじめ設定された特定アクセスポイント識別情報である場合、この特定アクセスポイント識別情報を検索キーとして、当該特定アクセスポイント識別情報と対応付けて記憶部１３０に記憶されている端末設定モードを読み出す。そして、移動通信端末１００の動作モードを、読み出した端末設定モードへ変更する。
【００４５】
また、動作モード変更部１４０は、変更する前の動作モードを記憶しておき、通信を行っていた無線ＬＡＮアクセスポイント２００の通信圏（エリア７００）外へ出た場合、移動通信端末１００の動作モードを変更する前の動作モードへ戻す。
【００４６】
また、動作モード変更部１４０は、上述したように移動通信端末１００の動作モードを変更するだけではなく、設定の変更を促す表示を行うものであっても良い。
【００４７】
なお、これらの動作モードの変更は、動作モード変更部１４０から制御部１５０へ指示することで、制御部１５０によって行われる。
【００４８】
無線ＬＡＮアクセスポイント２００は、通信圏内であるエリア７００内に存在する移動通信端末１００との間で無線ＬＡＮ通信を行うアクセスポイント（ＡＰ）である。また、無線ＬＡＮアクセスポイント２００は、病院等の公共施設や自宅等のあらかじめ登録された場所に設けられている。また、無線ＬＡＮアクセスポイント２００は、インターネット６００と接続されている。
【００４９】
サーバ３００は、無線通信網５００を介して無線基地局４００と接続されたサーバである。また、サーバ３００は、アクセスポイント識別情報と上述したサーバ設定モードとサーバ設定優先度とをあらかじめ対応付けて記憶している。
【００５０】
図５は、図１に示したサーバ３００に記憶されているアクセスポイント識別情報とサーバ設定モードとサーバ設定優先度との対応付けの一例を示す図である。
【００５１】
図１に示したサーバ３００には図５に示すように、アクセスポイント識別情報とサーバ設定モードとサーバ設定優先度とがあらかじめ対応付けられて登録されている。このアクセスポイント識別情報は、移動通信端末の動作モードの変更を必要とする公共施設等の所望の場所に設けられた無線ＬＡＮアクセスポイントそれぞれに付与されているものである。
【００５２】
例えば図５に示すように、複数のアクセスポイント識別情報と、複数のサーバ設定モードと、複数のサーバ設定優先度とが、それぞれ対応付けられて記憶されている。ここで、サーバ設定優先度は、Ａ＞Ｂ＞Ｃの優先順位の高さとする。
【００５３】
ここで、動作モード変更部１４０における処理を、記憶部１３０に図４に示した対応付けが記憶されており、サーバ３００に図５に示した対応付けが記憶されている場合を例に挙げて具体的に説明する。
【００５４】
例えば、無線ＬＡＮ通信部１１０から出力されてきたアクセスポイント識別情報が「０００１」である場合、記憶部１３０にてアクセスポイント識別情報「０００１」と対応付けられている端末設定モード「マナーモード設定」と端末設定優先度「Ｂ」とを読み出す。また、サーバ３００にてアクセスポイント識別情報「０００１」と対応付けられているサーバ設定モード「電源オフ」とサーバ設定優先度「Ａ」とを取得する。そして、端末設定優先度「Ｂ」とサーバ設定優先度「Ａ」とを比較し、優先度の高いサーバ設定優先度「Ａ」と対応付けられているサーバ設定モード「電源オフ」を選択する。そして、移動通信端末１００の動作モードを、選択したサーバ設定モード「電源オフ」へ変更する。
【００５５】
また、無線ＬＡＮ通信部１１０から出力されてきたアクセスポイント識別情報が「０００２」である場合、記憶部１３０にてアクセスポイント識別情報「０００２」と対応付けられている端末設定モードと端末設定優先度とがないため、これらの読み出しは行われない。また、サーバ３００にてアクセスポイント識別情報「０００２」と対応付けられているサーバ設定モード「マナーモード設定」とサーバ設定優先度「Ｃ」とを取得する。そして、移動通信端末１００の動作モードを、サーバ３００から取得したサーバ設定モード「マナーモード設定」へ変更する。
【００５６】
また、無線ＬＡＮ通信部１１０から出力されてきたアクセスポイント識別情報が「０００３」である場合、記憶部１３０にてアクセスポイント識別情報「０００３」と対応付けられている端末設定モード「電源オフ」と端末設定優先度「Ｂ」とを読み出す。また、サーバ３００にてアクセスポイント識別情報「０００３」と対応付けられているサーバ設定モード「着信音量小」とサーバ設定優先度「Ｃ」とを取得する。そして、端末設定優先度「Ｂ」とサーバ設定優先度「Ｃ」とを比較し、優先度の高い端末設定優先度「Ｂ」と対応付けられている端末設定モード「電源オフ」を選択する。そして、移動通信端末１００の動作モードを、選択した端末設定モード「電源オフ」へ変更する。
【００５７】
また、無線ＬＡＮ通信部１１０から出力されてきたアクセスポイント識別情報が「０００４」である場合、記憶部１３０にてアクセスポイント識別情報「０００４」と対応付けられている端末設定モード「マナーモード解除」と端末設定優先度「Ｂ」とを読み出す。また、サーバ３００にてアクセスポイント識別情報「０００３」と対応付けられているサーバ設定モード「着信音量大」とサーバ設定優先度「Ｃ」とを取得する。そして、端末設定優先度「Ｂ」とサーバ設定優先度「Ｃ」とを比較し、優先度の高い端末設定優先度「Ｂ」と対応付けられている端末設定モード「マナーモード解除」を選択する。そして、移動通信端末１００の動作モードを、選択した端末設定モード「マナーモード解除」へ変更する。
【００５８】
以下に、本形態における動作設定方法について説明する。
【００５９】
図６は、本形態における動作設定方法の一例を説明するためのフローチャートである。
【００６０】
まず、無線ＬＡＮ通信部１１０によって、移動通信端末１００がエリア７００内に存在するかどうかが判定される（ステップＳ１）。これは、無線ＬＡＮ通信部１１０によって、無線ＬＡＮアクセスポイント（ＡＰ）２００が検出された場合、移動通信端末１００がエリア７００内に存在すると判定されるものである。
【００６１】
移動通信端末１００がエリア７００内に存在すると判定されると、無線ＬＡＮ通信部１１０によって無線ＬＡＮアクセスポイント２００から、無線ＬＡＮアクセスポイント２００にあらかじめ付与されているアクセスポイント識別情報が取得される（ステップＳ２）。
【００６２】
アクセスポイント識別情報が取得されると、当該アクセスポイント識別情報が無線ＬＡＮ通信部１１０からサーバインタフェース部１２０と動作モード変更部１４０とへ出力される。
【００６３】
そして、動作モード変更部１４０によって、当該アクセスポイント識別情報と対応付けられた端末設定モードと端末設定優先度とが記憶部１３０に記憶されているかどうかが判定される（ステップＳ３）。
【００６４】
当該アクセスポイント識別情報と対応付けられた端末設定モードと端末設定優先度とが記憶部１３０に記憶されている場合、その端末設定モードと端末設定優先度とが、動作モード変更部１４０によって記憶部１３０から読み出される（ステップＳ４）。
【００６５】
また、サーバインタフェース部１２０によって、サーバ３００にて当該アクセスポイント識別情報と対応付けられたサーバ設定モードとサーバ設定優先度とが記憶されているかどうかが判定される（ステップＳ５）。これは、上述したような要求信号に対して、応答信号がサーバ３００から送信されてきた場合、当該アクセスポイント識別情報と対応付けられたサーバ設定モードとサーバ設定優先度とが記憶されていると判定し、そうでない場合は、当該アクセスポイント識別情報と対応付けられたサーバ設定モードとサーバ設定優先度とが記憶されていないと判定するものであっても良い。
【００６６】
そして、サーバ３００にて当該アクセスポイント識別情報と対応付けられたサーバ設定モードとサーバ設定優先度とが記憶されている場合、そのサーバ設定モードとサーバ設定優先度とがサーバインタフェース部１２０によってサーバ３００から取得される（ステップＳ６）。この取得方法は、上述したような要求信号と応答信号とを用いるものであっても良い。取得されたサーバ設定モードとサーバ設定優先度とは、サーバインタフェース部１２０から動作モード変更部１４０へ出力される。
【００６７】
すると、無線ＬＡＮ通信部１１０から出力されてきた端末設定優先度と、サーバインタフェース部１２０から出力されてきたサーバ設定優先度とが、動作モード変更部１４０にて比較され、どちらの優先度が高いかが判定される（ステップＳ７）。
【００６８】
サーバインタフェース部１２０から出力されてきたサーバ設定優先度が、無線ＬＡＮ通信部１１０から出力されてきた端末設定優先度よりも、高い優先度を示すものではない場合、動作モード変更部１４０によって移動通信端末１００の動作モードが、記憶部１３０から読み出された端末設定モードへ変更される（ステップＳ８）。
【００６９】
また、ステップＳ５にて、サーバ３００にて当該アクセスポイント識別情報と対応付けられたサーバ設定モードとサーバ設定優先度とが記憶されていない場合も、ステップＳ８にて、動作モード変更部１４０によって移動通信端末１００の動作モードが、記憶部１３０から読み出された端末設定モードへ変更される。
【００７０】
一方、ステップＳ３にて、当該アクセスポイント識別情報と対応付けられた端末設定モードと端末設定優先度とが記憶部１３０に記憶されていない場合、ステップＳ５の処理と同様に、サーバインタフェース部１２０によって、サーバ３００にて当該アクセスポイント識別情報と対応付けられたサーバ設定モードとサーバ設定優先度とが記憶されているかどうかが判定される（ステップＳ９）。
【００７１】
そして、サーバ３００にて当該アクセスポイント識別情報と対応付けられたサーバ設定モードとサーバ設定優先度とが記憶されている場合、ステップＳ６の処理と同様に、そのサーバ設定モードとサーバ設定優先度とがサーバインタフェース部１２０によってサーバ３００から取得される（ステップＳ１０）。取得されたサーバ設定モードとサーバ設定優先度とは、サーバインタフェース部１２０から動作モード変更部１４０へ出力される。
【００７２】
すると、動作モード変更部１４０によって移動通信端末１００の動作モードが、サーバインタフェース部１２０から出力されてきたサーバ設定モードへ変更される（ステップＳ１１）。
【００７３】
また、ステップＳ７にて、サーバインタフェース部１２０から出力されてきたサーバ設定優先度が、無線ＬＡＮ通信部１１０から出力されてきた端末設定優先度よりも、高い優先度を示すものである場合も、ステップＳ１１にて、動作モード変更部１４０によって移動通信端末１００の動作モードが、サーバインタフェース部１２０から出力されてきたサーバ設定モードへ変更される。
【００７４】
また、ステップＳ９にて、サーバ３００にて当該アクセスポイント識別情報と対応付けられたサーバ設定モードとサーバ設定優先度とが記憶されていない場合は、処理は終了する。
【００７５】
図７は、本形態における動作設定方法の他の例を説明するためのフローチャートである。
【００７６】
まず、無線ＬＡＮ通信部１１０によって、移動通信端末１００がエリア７００内に存在するかどうかが判定される（ステップＳ２１）。これは、無線ＬＡＮ通信部１１０によって、無線ＬＡＮアクセスポイント（ＡＰ）２００が検出された場合、移動通信端末１００がエリア７００内に存在すると判定されるものである。
【００７７】
移動通信端末１００がエリア７００内に存在すると判定されると、無線ＬＡＮ通信部１１０によって無線ＬＡＮアクセスポイント２００から、無線ＬＡＮアクセスポイント２００にあらかじめ付与されているアクセスポイント識別情報が取得される（ステップＳ２２）。
【００７８】
アクセスポイント識別情報が取得されると、当該アクセスポイント識別情報が無線ＬＡＮ通信部１１０からサーバインタフェース部１２０と動作モード変更部１４０とへ出力される。
【００７９】
そして、動作モード変更部１４０によって、当該アクセスポイント識別情報と対応付けられた端末設定モードと端末設定優先度とが記憶部１３０に記憶されているかどうかが判定される（ステップＳ２３）。
【００８０】
当該アクセスポイント識別情報と対応付けられた端末設定モードと端末設定優先度とが記憶部１３０に記憶されている場合、その端末設定モードと端末設定優先度とが、動作モード変更部１４０によって記憶部１３０から読み出される（ステップＳ２４）。
【００８１】
すると、読み出された端末設定モードと端末設定優先度とに対応付けられたアクセスポイント識別情報が、あらかじめ設定された特定アクセスポイント識別情報であるかどうかが動作モード変更部１４０にて判定される（ステップＳ２５）。ここで、特定アクセスポイント識別情報であるかどうかは、図４に示した対応付けに、「特定」かどうかを示す情報もあらかじめ対応付けておき、その情報に基づいて判定するものであっても良い。
【００８２】
特定アクセスポイント識別情報ではないと判定された場合、サーバインタフェース部１２０によって、サーバ３００にて当該アクセスポイント識別情報と対応付けられたサーバ設定モードとサーバ設定優先度とが記憶されているかどうかが判定される（ステップＳ２６）。これは、上述したような要求信号に対して、応答信号がサーバ３００から送信されてきた場合、当該アクセスポイント識別情報と対応付けられたサーバ設定モードとサーバ設定優先度とが記憶されていると判定し、そうでない場合は、当該アクセスポイント識別情報と対応付けられたサーバ設定モードとサーバ設定優先度とが記憶されていないと判定するものであっても良い。
【００８３】
そして、サーバ３００にて当該アクセスポイント識別情報と対応付けられたサーバ設定モードとサーバ設定優先度とが記憶されている場合、そのサーバ設定モードとサーバ設定優先度とがサーバインタフェース部１２０によってサーバ３００から取得される（ステップＳ２７）。この取得方法は、上述したような要求信号と応答信号とを用いるものであっても良い。取得されたサーバ設定モードとサーバ設定優先度とは、サーバインタフェース部１２０から動作モード変更部１４０へ出力される。
【００８４】
すると、無線ＬＡＮ通信部１１０から出力されてきた端末設定優先度と、サーバインタフェース部１２０から出力されてきたサーバ設定優先度とが、動作モード変更部１４０にて比較され、どちらの優先度が高いかが判定される（ステップＳ２８）。
【００８５】
サーバインタフェース部１２０から出力されてきたサーバ設定優先度が、無線ＬＡＮ通信部１１０から出力されてきた端末設定優先度よりも、高い優先度を示すものではない場合、動作モード変更部１４０によって移動通信端末１００の動作モードが、記憶部１３０から読み出された端末設定モードへ変更される（ステップＳ２９）。
【００８６】
また、ステップＳ２５にて、当該アクセスポイント識別情報が特定アクセスポイント識別情報であると判定された場合も、ステップＳ２９にて、動作モード変更部１４０によって移動通信端末１００の動作モードが、記憶部１３０から読み出された端末設定モードへ変更される。
【００８７】
また、ステップＳ２６にて、サーバ３００にて当該アクセスポイント識別情報と対応付けられたサーバ設定モードとサーバ設定優先度とが記憶されていない場合も、ステップＳ２９にて、動作モード変更部１４０によって移動通信端末１００の動作モードが、記憶部１３０から読み出された端末設定モードへ変更される。
【００８８】
一方、ステップＳ２３にて、当該アクセスポイント識別情報と対応付けられた端末設定モードと端末設定優先度とが記憶部１３０に記憶されていない場合、ステップＳ２６の処理と同様に、サーバインタフェース部１２０によって、サーバ３００にて当該アクセスポイント識別情報と対応付けられたサーバ設定モードとサーバ設定優先度とが記憶されているかどうかが判定される（ステップＳ３０）。
【００８９】
そして、サーバ３００にて当該アクセスポイント識別情報と対応付けられたサーバ設定モードとサーバ設定優先度とが記憶されている場合、ステップＳ２７の処理と同様に、そのサーバ設定モードとサーバ設定優先度とがサーバインタフェース部１２０によってサーバ３００から取得される（ステップＳ３１）。取得されたサーバ設定モードとサーバ設定優先度とは、サーバインタフェース部１２０から動作モード変更部１４０へ出力される。
【００９０】
すると、動作モード変更部１４０によって移動通信端末１００の動作モードが、サーバインタフェース部１２０から出力されてきたサーバ設定モードへ変更される（ステップＳ３２）。
【００９１】
また、ステップＳ２８にて、サーバインタフェース部１２０から出力されてきたサーバ設定優先度が、無線ＬＡＮ通信部１１０から出力されてきた端末設定優先度よりも、高い優先度を示すものである場合も、ステップＳ３２にて、動作モード変更部１４０によって移動通信端末１００の動作モードが、サーバインタフェース部１２０から出力されてきたサーバ設定モードへ変更される。
【００９２】
また、ステップＳ３０にて、サーバ３００にて当該アクセスポイント識別情報と対応付けられたサーバ設定モードとサーバ設定優先度とが記憶されていない場合は、処理は終了する。
【００９３】
以上説明したように、本発明において、病院等の公共施設や自宅など、所望の場所に設けられた無線ＬＡＮアクセスポイントをあらかじめ登録しておき、無線ＬＡＮ測位を用いることで、登録された場所に入った時に、移動通信端末１００の設定を強制的に変更したり、設定の変更を促したり、または自ら設定したものに自動的に切り替わったりするなど、利用者の操作の煩わしさを解消することができる。
【００９４】
また、無線ＬＡＮアクセスポイントを利用することで、より正確で細かなエリアごとに移動通信端末１００の動作モードの設定が可能である。
【００９５】
なお、上述したような無線ＬＡＮ測位だけではなく、ＧＰＳ機能を併用することで、さらに精度の高い判定が可能となる。
【００９６】
上述した移動通信端末１００に設けられた各構成要素が行う処理は、目的に応じてそれぞれ作製された論理回路で行うようにしても良い。また、処理内容を手順として記述したコンピュータプログラム（以下、プログラムと称する）を移動通信端末１００にて読取可能な記録媒体に記録し、この記録媒体に記録されたプログラムを移動通信端末１００に読み込ませ、実行するものであっても良い。移動通信端末１００にて読取可能な記録媒体とは、フロッピー（登録商標）ディスク、光磁気ディスク、ＤＶＤ、ＣＤなどの移設可能な記録媒体の他、移動通信端末１００に内蔵された記憶部１３０、ＲＯＭ、ＲＡＭ等のメモリやＨＤＤ等を指す。この記録媒体に記録されたプログラムは、移動通信端末１００に設けられた制御部１５０にて読み込まれ、制御部１５０の制御によって、上述したものと同様の処理が行われる。ここで、制御部１５０は、プログラムが記録された記録媒体から読み込まれたプログラムを実行するコンピュータとして動作するものである。
【符号の説明】
【００９７】
１００    移動通信端末
１１０    無線ＬＡＮ通信部
１２０    サーバインタフェース部
１３０    記憶部
１４０    動作モード変更部
１５０    制御部
２００    無線ＬＡＮアクセスポイント
３００    サーバ
４００    無線基地局
５００    無線通信網
６００    インターネット
７００    エリア
８０１    ヘッダ
８０２    サーバ設定モード
８０３    サーバ設定優先度
【図１】
2012074826.tif 000003
【図２】
2012074826.tif 000004
【図３】
2012074826.tif 000005
【図４】
2012074826.tif 000006
【図５】
2012074826.tif 000007
【図６】
2012074826.tif 000008
【図７】
2012074826.tif 000009